(57)【要約】      （修正有）【課題】施工が簡単でスピーディーな複合ボードであり、施工後の床あるいは壁面は一般の木質板の美しさを呈し、耐火性に優れて産業上の値用価値が高い組み合わせ式の複合ボードを提供する。【解決手段】本考案の組み合わせ式ボードは、タイルあるいはコンクリートの固定板１の、ざらざらした表面や凹凸面を利用して、接着剤で薄い木質板２を結合させて表面層を形成している。床あるいは壁面の施工する際に、このユニットボードのみを使用する上に、このユニットボードの形状あるいは模様は実際に施工する場所の面積あるいは模様に応じて作成するようになっている。【選択図】図１
0003104758.tif 000002
【実用新案登録請求の範囲】
【請求項１】
固定板の表面に接合剤で薄層木質板を接合させて形成し、この固定板の底面はざらざらした、あるいは、凹凸のある木地、あるいは、網目模様の形態をした結合底層になっているため、床面や壁面に施工する際、コンクリートとうまく結合するようになっていて、その表面はざらざらした、あるいは、凹凸のある木地の粘着接合表面層で、薄い層の木質板が粘着しやすいようになっているため、粘着接合表面層に接合剤を塗れば、薄層木質板が接合されて一枚の表面が平らな板になり、こうして、床や壁面に敷く組み合わせ式のユニットボードが構成されるという特長を持つ、組み合わせ式の複合ボード。
【請求項２】
固定板が直接焼いて形成したタイルである、請求項１に記載の組み合わせ式複合ボード。
【請求項３】
固定板が網板成型のコンクリート板の形態をしている、請求項１に記載の組み合わせ式複合ボード。
【請求項４】
薄層木質板の木目が、実際に敷く際の木目によって、あらかじめ必要な木目を組み合わせるという形態を取っている、請求項１に記載の組み合わせ式複合ボード。
【請求項５】
薄層木質板の施工面積が固定板の接合面積よりやや大きいため、どのユニットボードも、組み合わせるとき、その表面層はやや外側に突き出て、隙間なく接合できるようになっている、請求項１に記載の組み合わせ式複合ボード。
【請求項６】
組み合わせ式のユニットボードの形状が実際に施工する部分の面積に応じて製作された矩形型をしている、請求項１に記載の組み合わせ式複合ボード。
【請求項７】
組み合わせ式のユニットボードの形状が実際に施工する部分の面積に応じて製作された多辺形をしている、請求項１に記載の組み合わせ式複合ボード。
【考案の詳細な説明】
【技術分野】
【０００１】
本考案は組み合わせ式のボードに関する。本考案の組み合わせ式ボードは、床あるいは壁面に敷いて施工するための組み合わせ式の複合ボードとして応用することが可能である。
【背景技術】
【０００２】
従来、よく見られる床あるいは壁面の施工は、タイル、大理石あるいは木質板を敷き詰めて、床あるいは壁面を美化している。タイルあるいは大理石による床、壁面の施工は、施工が容易でスピーディーなため、便利である。しかしながら、その質感は視角的に堅い感じがする。現在の生活環境からすると、どちらかと言えば、木質の床板による施工が高級感があり、視覚的にも美感を伴うので人気がある。
しかしながら、一般の木質の床板による施工床面あるいは壁面は、底上げしたり、木板の下方にフレーム、スポンジ、発砲材料等を補って、湿気を受けるのを防いだり、騒音を抑えたりする必要がある。このため、施工が煩雑になり、技術的にも高いものが求められる。また、木質材料はコストが高い上に、使用する材料が多くなり材料費がかさむという問題も発生する。さらに、底上げするために、室内空間がせまくなる上、防火の面における安全性にも問題がある。
【考案の開示】
【考案が解決しようとする課題】
【０００３】
本考案は、施工が簡単でスピーディーな複合ボードであり、施工後の床あるいは壁面は一般の木質板の美しさを呈し、耐火性に優れて産業上の値用価値が高い組み合わせ式の複合ボードを提供することを課題とする。
【課題を解決するための手段】
【０００４】
本考案の組み合わせ式ボードは、基本的には、床あるいは壁面の美化に使用する。特に、美感的に優れた木質板に固定板を結合させて複合ボードとしている。この複合ボードは価格が安く、施工も簡単でスピーディーである。このため、施工の際のコストが低く抑えられる上、応用性が広いという特長がある。
【０００５】
本考案の組み合わせ式ボードは、タイルあるいはコンクリートの固定板の、ざらざらした表面や凹凸面を利用して、接着剤で薄い木質板を結合させて表面層を形成している。床あるいは壁面の施工する際に、このユニットボードのみを使用する上に、このユニットボードの形状あるいは模様は実際に施工する場所の面積あるいは模様に応じて作成するようになっている。このようにして形成したユニットボードは、一般のタイルを張り付ける施工法と同様に直接張りつけて施工することが可能であり、施工がしやすく、仕上がりも美しい。同時に、施工完成後の表面が高級感のある美しい木目模様を呈し、従来の木質板の施工における、材料コストが高いという欠点を改善している。
【０００６】
したがって、本考案の複合ボードは、実際に使用する際、材料コストの節約が可能で、施工後の床あるいは壁面が平らで落ち着き、音がせず、結合度が強く、施工空間がせまくなるという欠点を克服している。同時に、ユニットボード下方が不燃物の固定板であり、上方だけが薄い木板で可燃性であるため、耐火効果が高く安全性に優れている。また、このユニットボード上層は薄い木板の形態をしていて、ユニットボードの底層の固定板に浮き出た湿気は直接表面層である薄い木板が吸収するので、湿気の高い気候において、一般のタイルのように湿気が表面に浮き出て露を結ぶことがない。したがって、本考案の複合ボードは産業上の利用価値が高い。
【考案の効果】
【０００７】
本考案の組み合わせ式の複合ボードは、施工が簡単で、スピーディーな複合ボードであり、施工後の床あるいは壁面は、一般の木質板の美しさを呈し、耐火性
に優れるので、産業上の値用価値が高い。
【考案を実施するための最良の形態】
【０００８】
図１から図５を参照いただきたい。本考案の組み合わせ式複合ボードは、固定板１の表面に接合剤３で薄層木質板２を接合させて形成する。
この固定板１は、直接焼いて成型したタイルあるいは網板成型によるコンクリート板の形態をしている。その底面はざらざらした、あるいは、凹凸のある木地、あるいは網目模様の形態をした結合底層１１になっている。このため、床面や壁面に施工する際、コンクリートとうまく結合するようになっている。また、表面はざらざらした、あるいは、凹凸のある木地の粘着接合表面層１２で、薄層木質板２が粘着しやすいようになっている。このため、粘着接合表面層１２に接合剤３を塗れば、薄層木質板２が接合されて一枚の表面が平らな板になる。こうして、床や壁面に敷く組み合わせ式のユニットボードが構成される。
【０００９】
この薄層木質板２の木目は実際に敷く際の木目によって、あらかじめ必要な木目を組み合わせるという形態を取っている。例えば、図１では多様な木目が組み合わさった形態をしている。図では単一直線横木目の形態で、図３は複数の直線横木目交錯排列形態である。さらに、この薄層木質板２の敷設面積は固定板１の接合面積（図４で示すようにｈの長さによって決まる）よりやや大きいため、どのユニットボードも、組み合わせるとき、その表面層はやや外側に突き出て、隙間なく接合できるようになっている。
【００１０】
本考案の複合ボードは、以下のような特長がある。
１、           
一般のタイルを張り付ける施工法と同様に直接張りつけて施工することが可能であり、施工がしやすく、仕上がりも美しい。同時に、施工完成後の表面が高級感のある美しい木目模様を呈する。
２、           
従来の木質板の材料をたくさん必要とする施工方式に替わり、施工が簡単で、高い技術を必要とせず、底上げによる空間がせまくなることもなく、材料費の節約も可能である。
３、           
一般のタイルを組み合わせる施工方法を採用していて、施工後の床あるいは壁面が平らで落ち着き、音がせず、結合度が高い。
４、           
ユニットボード下方が不燃物の固定板であり、上方だけが薄い木板で可燃性であるため、耐火効果の高く安全性に優れている。
５、           
ユニットボード上層は薄い木板の形態をしていて、ユニットボードの底層の固定板に浮き出た湿気は直接表面層である薄い木板が吸収するので、湿気の高い気候において、一般のタイルのように湿気が表面に浮き出て露を結ぶことがない。
６、           
ユニットボードの形状あるいは模様は制限がなく、実際に施工する場所の面積あるいは模様に応じて作成するようになっている。図１のような矩形の形態や、図６のような多辺形の形態も可能である。
７、           
本考案の複合式のユニットボードは、価格が安いため、施工費用を低く抑えることが可能であり、応用範囲が広い。
８、本考案の複合式ユニットボードを壁面に応用する際、一般のタイルを利用した施工方法を同様に、直接施工方式で行なうことが可能である。したがって、従来の木質板で壁面を施工する際の、多層材料を使用する方法に取って代わることが可能で、施工がしやすく、同時に、施工後の表面も高級感のある美しい木目模様を呈する。
【図面の簡単な説明】
【００１１】
【図１】本考案の組み合わせ式複合ボードの外観図である。
【図２】本考案の組み合わせ式複合ボードの表面が、もう一つの直線横木目型の薄層木質板と結合した状態を示した図である。
【図３】本考案の組み合わせ式複合ボードの表面が、もう一つの複数の直線横木目交錯型の薄層木質板と結合した状態を示した図である。
【図４】本考案の組み合わせ式複合ボードの断面図である。
【図５】本考案の組み合わせ式複合ボードのもう一つの多辺型をした形態の実施例の外観図である。
【符号の説明】
【００１２】
１        固定板
１１      結合底層
１２      粘着接合表面層
２        薄層木質板
３        接合剤
【図１】
0003104758.tif 000003
【図２】
0003104758.tif 000004
【図３】
0003104758.tif 000005
【図４】
0003104758.tif 000006
【図５】
0003104758.tif 000007